(57)【要約】      （修正有） 【課題】カレンダーの使用期限が過ぎても、カレンダーに書かれた記録を使用者の好みの態様で保存可能な記録カード付きカレンダーを提供する。【解決手段】複数の月毎のカレンダー頁を有する記録カード付きカレンダーであって、各カレンダー頁は、日付が印刷された日付印刷領域１３と、使用者により月に関する事項が書き込まれる第１記録書き込み領域１１と、使用者により印刷されたテーマに対する事項が書き込まれる第２記録書き込み領域１２と、複数のリング穴が形成された型抜き領域１０とを具備し、日付印刷領域１３と、第１記録書き込み領域１１及び第２記録書き込み領域１２との境界には、第１ミシン目３１ｃが形成され、第１記録書き込み領域１１及び第２記録書き込み領域１２との境界には、第２ミシン目３１ｂが形成され、型抜き領域１０が形成されている。【選択図】図２
0003217710.tif 000002
【実用新案登録請求の範囲】
【請求項１】
複数の月毎のカレンダー頁を有する記録カード付きカレンダーであって、
前記複数の月毎のカレンダー頁の各カレンダー頁は、
日付が印刷された日付印刷領域と、
前記日付印刷領域の上部に印刷され、年及び月が印刷され、使用者により前記月に関する事項が書き込まれる第１記録書き込み領域と、
前記日付印刷領域の上部に印刷され、テーマが印刷され、使用者により印刷されたテーマに対する事項が書き込まれる第２記録書き込み領域と、
前記第１記録書き込み領域及び前記第２記録書き込み領域の上部に形成され、リングを通すための複数のリング穴が形成された型抜き領域とを具備し、
前記日付印刷領域と、前記第１記録書き込み領域及び前記第２記録書き込み領域との境界には、第１ミシン目が形成され、
前記第１記録書き込み領域及び前記第２記録書き込み領域との境界には、第２ミシン目が形成されている、
記録カード付きカレンダー。
【請求項２】
複数の月毎のカレンダー頁を有する記録カード付きカレンダーであって、
前記複数の月毎のカレンダー頁の各カレンダー頁は、
日付が印刷された日付印刷領域と、
前記日付印刷領域の上部に印刷され、年及び月が印刷され、使用者により前記月に関する事項が書き込まれる第１記録書き込み領域と、
前記日付印刷領域の上部に印刷され、写真を取り付けるための切り換え部が形成された第２記録書き込み領域と、
前記第１記録書き込み領域及び前記第２記録書き込み領域の上部に形成され、リングを通すための複数のリング穴が形成された型抜き領域とを具備し、
前記日付印刷領域と、前記第１記録書き込み領域及び前記第２記録書き込み領域との境界には、第１ミシン目が形成され、
前記第１記録書き込み領域及び前記第２記録書き込み領域との境界には、第２ミシン目が形成され、
前記第２記録書き込み領域のサイズは、前記第１記録書き込み領域のサイズと同じである、
記録カード付きカレンダー。
【請求項３】
前記第１記録書き込み領域のサイズは、写真のＬ版サイズ（８９ｍｍ×１２７ｍｍ）である、請求項１又は請求項２記載の記録カード付きカレンダー。
【請求項４】
前記第２記録書き込み領域のサイズは、前記第１記録書き込み領域の大きさよりも小さい、請求項１乃至３いずれか１項に記載の記録カード付きカレンダー。
【請求項５】
前記型抜き領域、前記第１記録書き込み領域及び前記第２記録書き込み領域のサイズと同じサイズを有する保管用表紙をさらに具備する、請求項１乃至４いずれか１項に記載の記録カード付きカレンダー。
【請求項６】
前記複数の月毎のカレンダー頁のサイズと同じサイズを有する前記記録カード付きカレンダーの表紙と、
前記複数の月毎のカレンダー頁のサイズと同じサイズを有する前記記録カード付きカレンダーの裏表紙と
をさらに具備する、請求項１乃至５いずれか１項にの記録カード付きカレンダー。
【請求項７】
前記型抜き領域と、前記第１記録書き込み領域及び前記第２記録書き込み領域との境界には、第３ミシンン目が形成されている、
請求項１乃至６いずれか１項に記載の記録カード付きカレンダー。
【考案の詳細な説明】
【技術分野】
【０００１】
本考案は、記録カード付きカレンダーに関する。
【背景技術】
【０００２】
暦にしたがって、例えば、年、月、日が表示されたカレンダーの日付表示部の空白部分や、カレンダーの紙面に印刷された記録部分に、使用者の予定や、目標、所定の記録（例えば、体重など）などの記録を書き込むことは通常行なわれている。
【０００３】
また、カレンダーに印刷された写真、絵などを利用して、メッセージカードを作成可能なメッセージカード付きカレンダーも知られている。
【先行技術文献】
【特許文献】
【０００４】
【特許文献１】実開平２−１１１５６４号公報
【考案の概要】
【考案が解決しようとする課題】
【０００５】
しかしながら、カレンダーは、通常、その使用期限（例えば、１年）を過ぎれば、廃棄されるものであり、この場合、そのカレンダーに書き込まれた記録は、カレンダーとともに廃棄されてしまう。
【０００６】
特に、家族の思い出などを記録として書き込んでいた場合には、このような記録は、使用者にとって大切な思い出となるものであり、カレンダーとともに廃棄するのは、思い出の記録を廃棄することに等しく、使用者にとって非常に勿体ない感情を抱かせていた。
【０００７】
一方、写真などの保存は、デジタルデータとして保存可能であるが、紙に印刷した写真の形でアルバムとして保存しておきたいという要望がまだまだ大きいのも実情である。
【０００８】
本考案は、上記実情に鑑みてなされたものであり、カレンダーの使用期限が過ぎても、カレンダーに書かれた記録を使用者の好みの態様で保存可能な記録カード付きカレンダーを提供することを目的とする。
【課題を解決するための手段】
【０００９】
第１実施形態によれば、複数の月毎のカレンダー頁を有する記録カード付きカレンダーであって、前記複数の月毎のカレンダー頁の各カレンダー頁は、日付が印刷された日付印刷領域と、前記日付印刷領域の上部に印刷され、年及び月が印刷され、使用者により前記月に関する事項が書き込まれる第１記録書き込み領域と、前記日付印刷領域の上部に印刷され、テーマが印刷され、使用者により印刷されたテーマに対する事項が書き込まれる第２記録書き込み領域と、前記第１記録書き込み領域及び前記第２記録書き込み領域の上部に形成され、リングを通すための複数のリング穴が形成された型抜き領域とを具備し、前記日付印刷領域と、前記第１記録書き込み領域及び前記第２記録書き込み領域との境界には、第１ミシン目が形成され、前記第１記録書き込み領域及び前記第２記録書き込み領域との境界には、第２ミシン目が形成されている、記録カード付きカレンダーである。
【考案の効果】
【００１０】
本考案によれば、カレンダーの使用期限がすぎても、カレンダーに係れた記録を使用者の好みの態様で保存可能な記録カード付きカレンダーを提供することができる。
【図面の簡単な説明】
【００１１】
【図１】本実施形態に係る記録カード付きカレンダー１のリング２１により閉じられた表紙ＣＨ、保管用表紙Ｒ及びカレンダー頁Ｈ１を説明するための図である。
【図２】同実施形態に係る記録カード付きカレンダー１のカレンダー頁Ｈ１を示す図である。
【図３】同実施形態に係る記録カード付きカレンダー１の裏表紙ＣＥを示す図である。
【図４】同実施形態に係る記録カード付きカレンダー１の保管用表紙Ｒを示す図である。
【図５】図２に示したカレンダー頁Ｈ１の余白領域１１ａ、１２ａ及び日付等表示領域１３にユーザが文字を書き込んだ状態を示す図である。
【図６】アルバム５１に写真とともに挿入された第１記録書き込み領域１１及び第２記録書き込み領域１２を示す図である。
【図７】写真が載置された保管用表紙Ｒが表になるようにセットされた思い出アルバムを示す図である。
【考案を実施するための形態】
【００１２】
以下、図面を参照して、本考案の実施形態の記録カード付きカレンダーについて説明する。なお、図１乃至図７において、同一部分には同一符号を付して説明する。
【００１３】
図１は、本実施形態に係る記録カード付きカレンダー１のリング２１により閉じられた表紙ＣＨ、保管用表紙Ｒ及び各月毎に印刷されたカレンダー頁Ｈ１〜Ｈ１２の２０１９年１月のカレンダー頁Ｈ１を説明するための図である。
【００１４】
図１においては、２０１９年１月のカレンダー頁Ｈ１のみが示しているが、２０１９年２月から１２月までのカレンダー頁Ｈ２〜Ｈ１２も同様の構成が採用され（印刷される内容は該当する月によって異なる）、カレンダー頁Ｈ１に重ねてリング２１に挿入さている。
【００１５】
カレンダー頁Ｈ１２の次には、図３に示す裏表紙ＣＥが重ねてリング２１に挿入さている。図３では、裏表紙ＣＥの裏面に印刷された内容を示しているが、これに限られるものではない。表紙ＣＨ及び裏表紙ＣＥのサイズは、カレンダー頁Ｈ１〜Ｈ１２のサイズと同じであり、これら表紙ＣＨ及び裏表紙ＣＥは、実施形態の記録カード付きカレンダー１を、カレンダー頁Ｈ１〜Ｈ１２の日付等表示領域１３を切り離さずに、カレンダーとして使用する場合に、表紙及び裏表紙として使用されるものである。
【００１６】
表紙ＣＨ、保管用表紙Ｒ及び各月毎に印刷されたカレンダー頁Ｈ１〜Ｈ１２、及び裏表紙ＣＥの上部には、リング穴２０が一列に形成されており、リング２１により、閉じられている。裏表紙ＣＥの裏側には、例えば、図３に示すように、実施形態の記録カード付きカレンダー１の保管方法や使用の仕方が印刷されている。
【００１７】
図４は、保管用表紙Ｒを示す図である。保管用表紙Ｒは、実施形態の記録カード付きカレンダー１からカレンダー頁Ｈ１〜Ｈ１２の日付等表示領域１３を切り離し、記録カレンダーとして使用する場合に、記録カレンダーの表紙として使用されるものである。
【００１８】
この保管用表紙Ｒは、図４に示すように、その表面にカレンダー頁Ｈ１〜Ｈ１２の該当年度（例えば、２０１９）が印刷されるとともに、写真を取り付けるための切欠き部４２ａ〜４２ｄが写真を載置した場合の四隅に相当する位置に形成されている。
【００１９】
図１では、保管用表紙Ｒの切欠き部４２ａ〜４２ｄに写真Ｐを取り付けた場合を示している。このような切欠き部４２ａ〜４２ｄを設けることにより、その年の思い出となる写真を取り付けることができる。
【００２０】
保管用表紙Ｒのサイズは、カレンダー頁Ｈ１〜Ｈ１２の型抜き領域１０、第１記録書き込み領域１１及び第２記録書き込み領域１２（図２参照）を合わせたサイズと同じサイズである。なお、保管用表紙Ｒの横（幅方向）のサイズについては、記録カレンダーの横（幅方向）と同一サイズが望ましいが、保管用表紙Ｒの縦（高さ方向）のサイズについては、記録カレンダーの縦（高さ方向）より若干大きめのサイズとしても構わない。このようなサイズにすることにより、カレンダー頁Ｈ１〜Ｈ１２の日付等表示領域１３を切り離し、記録カレンダーとして使用する場合に、保管用表紙Ｒを記録カレンダーの表紙として使用されることができる。
【００２１】
カレンダー頁Ｈ１〜Ｈ１２は、それぞれ１月〜１２月のカレンダーに相当している。図２は、２０１９年１月用のカレンダー頁Ｈ１を示す図である。ここでは、代表して１月用のカレンダー頁Ｈ１のみを示すが、他のカレンダー頁Ｈ２〜Ｈ１２についても同様のレイアウトが採用されているものとする。
【００２２】
カレンダー頁Ｈ１は、図２に示すように、型抜き領域１０、第１記録書き込み領域１１（思い出カード）、第２記録書き込み領域１２（テーマカード）及び日付等表示領域１３を有する。
【００２３】
型抜き領域１０には、その上部に複数のリング穴２０が一例に形成され、複数のリング穴２０には、それぞれ互いに連結されたリング２１が通される。リング２１には吊り具２２が通されており、記録カード付きカレンダー１を吊るすことができるようになっている。また、型抜き領域１０には、上部に２２に形成された吊り具２２の吊り部（記録カード付きカレンダー１を引っ掛ける部分）を通すための半円状の穴が形成されている。
【００２４】
カレンダー頁Ｈ１の第１記録書き込み領域１１には、年及び月が印刷されるとともに、当該月に関する事項などが書き込まれる余白領域１１ａを有する。この第１記録書き込み領域１１のサイズは、Ｌ版サイズ（８９ｍｍ×１２７ｍｍ）である。
【００２５】
カレンダー頁Ｈ１の第２記録書き込み領域１２には、月及び月のテーマが印刷されており、印刷されたテーマに対する事項などが書き込まれる余白領域１２ａを有する。図２に示す例では、余白領域１２ａには、「今月の目標」、「お正月の楽しかった思い出」、「お年玉で買ったもの」に関するテーマが印刷されており、これらテーマについて書き込みをすることができる。なお、このテーマは、月毎に異なるテーマが印刷されていても良い。
【００２６】
この第２記録書き込み領域１２のサイズは、第１記録書き込み領域１１のサイズより小さい。具体的には、縦の長さは第１記録書き込み領域１１の縦の長さ（８９ｍｍ）と同じであり、横方向の長さが第１記録書き込み領域１１の横の長さ（１２７ｍｍ）よりも短い。
【００２７】
型抜き領域１０と、第１記録書き込み領域１１及び第２記録書き込み領域１２との境界には、ミシン目３１ａが形成されており、型抜き領域１０と第１記録書き込み領域１１及び第２記録書き込み領域１２とを切り離し可能である。
【００２８】
また、第１記録書き込み領域１１と第２記録書き込み領域１２との境界には、ミシン目３１ｂが形成されており、第１記録書き込み領域１１と第２記録書き込み領域１２とを切り離し可能である。
【００２９】
第１記録書き込み領域１１及び第２記録書き込み領域１２の下部には、日付等表示領域１３が印刷されている。
【００３０】
さらに、第１記録書き込み領域１１及び第２記録書き込み領域１２と、日付等表示領域１３との境界には、ミシン目３１ｃが形成されており、第１記録書き込み領域１１及び第２記録書き込み領域１２と、日付等表示領域１３とを切り離し可能である。
【００３１】
カレンダー頁Ｈ１の日付等表示領域１３には、該当する月の曜日や日付が印刷されるとともに、当該月の「日」に関する予定やイベントなどの事項が記入される。
【００３２】
図５は、図２に示したカレンダー頁Ｈ１の余白領域１１ａ、１２ａ及び日付等表示領域１３にユーザが文字を書き込んだ状態を示す図である。
【００３３】
第１記録書き込み領域１１の余白領域１１ａには、例えば、「あかり１歳になった！  体重ももう少しで１０キロ。おおきくなったね。・・・・・」のような１月の思い出が記入される。
【００３４】
第２記録書き込み領域１２の余白領域１２ａには、例えば、−今月の目標−というテーマに対して、「風邪をひかない！特にパパ！」、−−お正月の楽しかった思い出−−というテーマに対して、「初詣にいったら、かぞく全員大吉だった！」、−−お年玉で買ったもの−−というテーマに対して、「おままごとセット」のように、第２記録書き込み領域１２に印刷されたテーマに対応する事項が記入される。
【００３５】
日付等表示領域１３には、例えば、１月１日の部分には「冬休み」、１８日の部分には「あかり１歳」、１９日、２０日の部分には「家族旅行、動物園」のように、当該月の「日」に関する予定やイベントなどの事項が記入される。
【００３６】
このような実施形態の記録カード付きカレンダー１では、第１記録書き込み領域１１の余白領域１１ａに当該月に関する事項などを書き込み、第２記録書き込み領域１２の余白領域１２ａに当該月に関するテーマに対する事項などを書き込む。
【００３７】
そして、１年が終わったら、２通りの保管方法、すなわち、思い出の書かれている第１記録書き込み領域１１（思い出カード）及び第２記録書き込み領域１２（テーマカード）を他のアルバムとともに保管する場合や、当該年度の「思い出アルバム」として保管することを選択できる。
・  他のアルバムとともに保管する場合
この場合、表紙ＣＨ及び保管用表紙Ｒをリング２１から外すとともに、カレンダー頁Ｈ１〜Ｈ１２の日付等表示領域１３をミシン目３１ｃに沿って、第１記録書き込み領域１１及び第２記録書き込み領域１２から切り離す。
【００３８】
また、第１記録書き込み領域１１及び第２記録書き込み領域１２をミシン目３１ａに沿って、型抜き領域１０から切り離すとともに、第１記録書き込み領域１１をミシン目３１ｂに沿って、第２記録書き込み領域１２から切り離す。
【００３９】
切り離された第１記録書き込み領域１１及び第２記録書き込み領域１２は、上述のように写真のＬ版サイズと同等又はそれ以下よりも小さいサイズであるので、他のアルバムに写真とともに保管することができる。
【００４０】
図６は、アルバム５１に写真とともに挿入された第１記録書き込み領域１１及び第２記録書き込み領域１２を示す図である。なお、第２記録書き込み領域１２のサイズを写真のＬ版サイズの第１記録書き込み領域１１よりも小さくしたのは、本実施形態の記録カード付きカレンダー１の郵送代を考慮したものである。
・  当該年度の思い出アルバムとして保管する場合
この場合、表紙ＣＨ及び保管用表紙Ｒをリング２１から外すとともに、カレンダー頁Ｈ１〜Ｈ１２の日付等表示領域１３をミシン目３１ｃに沿って、第１記録書き込み領域１１及び第２記録書き込み領域１２から切り離す。
【００４１】
そして、保管用表紙Ｒが表になるようにし、保管用表紙Ｒの切欠き部４２ａ〜４２ｄにお好みの写真をセットする。図７は、写真がセットされた保管用表紙Ｒが表になるようにセットされた思い出アルバムを示す図である。これにより、利用者にとって世界に１つの思い出アルバムを完成することができる。
＜他の実施形態＞
次に、本考案の他の実施形態について説明する。上述の実施形態では、記録カード付きカレンダー１の郵送料を考慮して、第２記録書き込み領域１２のサイズが、第１記録書き込み領域１１のサイズより小さいものとして説明した。
【００４２】
他の実施形態では、第２記録書き込み領域１２のサイズを第１記録書き込み領域１１のサイズと同じ、写真のＬ版サイズとする。そして、この第２記録書き込み領域１２には、保管用表紙Ｒにおいて説明したのと同様に、写真を取り付けるための複数の切欠き部（図示せず）を設ける。これら切欠き部は、写真を載置した場合の四隅に相当する位置に形成される。
【００４３】
このような構成を採用することにより、第１記録書き込み領域１１の書き込みと並べる形で第２記録書き込み領域１２を写真貼り付け欄とすることができ、１年間終了後、毎月々の写真と記載事項とが綴られた思い出アルバムとして保管することができる。
【００４４】
また、第１記録書き込み領域１１及び第２記録書き込み領域１２を記録カード付きカレンダー１から切り離して、他のアルバムに保管する場合、第１記録書き込み領域１１及び第２記録書き込み領域１２のサイズは、写真のＬ版サイズ（８９ｍｍ×１２７ｍｍ）であるので、アルバムに違和感なく収納することができる。これは、第２記録書き込み領域１２を記載欄として使用した場合も同様である。
【００４５】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００４６】
１…記録カード付きカレンダー、１１…第１記録書き込み領域、１１ａ…余白領域、１２…第２記録書き込み領域、１２ａ…余白領域、１３…日付等表示領域、２０…リング穴、２１…リング、２２…吊り具、３１ａ〜３１ｃ…ミシン目、４２ａ〜４２ｄ…切欠き部、５１…アルバム、  ＣＨ…表紙、Ｒ…保管用表紙、ＣＥ…裏表紙、Ｈ１〜Ｈ１２…カレンダー頁。
【図１】
0003217710.tif 000003
【図２】
0003217710.tif 000004
【図３】
0003217710.tif 000005
【図４】
0003217710.tif 000006
【図５】
0003217710.tif 000007
【図６】
0003217710.tif 000008
【図７】
0003217710.tif 000009
【手続補正書】
【提出日】平成30年7月2日(2018.7.2)
【手続補正１】
【補正対象書類名】実用新案登録請求の範囲
【補正対象項目名】全文
【補正方法】変更
【補正の内容】
【実用新案登録請求の範囲】
【請求項１】
複数の月毎のカレンダー頁を有する記録カード付きカレンダーであって、
前記複数の月毎のカレンダー頁の各カレンダー頁は、
日付が印刷された日付印刷領域と、
前記日付印刷領域の上部に印刷され、年及び月が印刷され、使用者により前記月に関する事項が書き込まれる第１記録書き込み領域と、
前記日付印刷領域の上部に印刷され、テーマが印刷され、使用者により印刷されたテーマに対する事項が書き込まれる第２記録書き込み領域と、
前記第１記録書き込み領域及び前記第２記録書き込み領域の上部に形成され、リングを通すための複数のリング穴が形成された型抜き領域とを具備し、
前記日付印刷領域と、前記第１記録書き込み領域及び前記第２記録書き込み領域との境界には、第１ミシン目が形成され、
前記第１記録書き込み領域及び前記第２記録書き込み領域との境界には、第２ミシン目が形成されている、
記録カード付きカレンダー。
【請求項２】
複数の月毎のカレンダー頁を有する記録カード付きカレンダーであって、
前記複数の月毎のカレンダー頁の各カレンダー頁は、
日付が印刷された日付印刷領域と、
前記日付印刷領域の上部に印刷され、年及び月が印刷され、使用者により前記月に関する事項が書き込まれる第１記録書き込み領域と、
前記日付印刷領域の上部に印刷され、写真を取り付けるための切り換え部が形成された第２記録書き込み領域と、
前記第１記録書き込み領域及び前記第２記録書き込み領域の上部に形成され、リングを通すための複数のリング穴が形成された型抜き領域とを具備し、
前記日付印刷領域と、前記第１記録書き込み領域及び前記第２記録書き込み領域との境界には、第１ミシン目が形成され、
前記第１記録書き込み領域及び前記第２記録書き込み領域との境界には、第２ミシン目が形成され、
前記第２記録書き込み領域のサイズは、前記第１記録書き込み領域のサイズと同じである、
記録カード付きカレンダー。
【請求項３】
前記第１記録書き込み領域のサイズは、写真のＬ版サイズ（８９ｍｍ×１２７ｍｍ）である、請求項１又は請求項２記載の記録カード付きカレンダー。
【請求項４】
前記第２記録書き込み領域のサイズは、前記第１記録書き込み領域の大きさよりも小さい、請求項１記載の記録カード付きカレンダー。
【請求項５】
前記型抜き領域、前記第１記録書き込み領域及び前記第２記録書き込み領域のサイズと同じサイズを有する保管用表紙をさらに具備する、請求項１乃至４いずれか１項に記載の記録カード付きカレンダー。
【請求項６】
前記複数の月毎のカレンダー頁のサイズと同じサイズを有する前記記録カード付きカレンダーの表紙と、
前記複数の月毎のカレンダー頁のサイズと同じサイズを有する前記記録カード付きカレンダーの裏表紙と
をさらに具備する、請求項１乃至５いずれか１項にの記録カード付きカレンダー。
【請求項７】
前記型抜き領域と、前記第１記録書き込み領域及び前記第２記録書き込み領域との境界には、第３ミシン目が形成されている、
請求項１乃至６いずれか１項に記載の記録カード付きカレンダー。